(57)【要約】      （修正有）【課題】歩行面の損傷を防止又は減少させることができる靴用滑り防止具を提供する。【解決手段】防止具１１は、平板状の本体部２１と、本体部２１の右側の縁部２２に基端が取り付けられた短冊状の右前ベルト３１と、本体部２１の右側の縁部２２に基端が取り付けられた短冊状の右中ベルト３３と、本体部２１の右側の縁部２２に基端が取り付けられた紐状の右後紐３５と、本体部２１の左側の縁部２４に基端が取り付けられた短冊状の左前ベルト４１と、本体部２１の左側の縁部２４に基端が取り付けられた短冊状の左中ベルト４３と、本体部２１の左側の縁部２４に基端が取り付けられた紐状の左後紐４５と、を備えてなる。本体部２１は、天然ゴム製の平板部材を形成しており、上面の主表面２１ａは、本防止具１１が装着される靴の靴底に面する。【選択図】図１
0003225702.tif 000002
【実用新案登録請求の範囲】
【請求項１】
靴に装着する靴用滑り防止具であって、
両主表面のうちの一面が靴底に面すると共に少なくとも他面が柔軟な材料により形成されている板状部材を含んでなる本体部と、
本体部を該靴に取り付ける取り付け部と、
を備えてなる、靴用滑り防止具。
【請求項２】
前記板状部材が、前記柔軟な材料により一体に形成されるものである、請求項１に記載の靴用滑り防止具。
【請求項３】
前記他面に凸部又は凹部が形成されている、請求項１又は２に記載の靴用滑り防止具。
【請求項４】
前記凸部又は凹部が左右方向に伸びる突条又は溝である、請求項３に記載の靴用滑り防止具。
【請求項５】
前記柔軟な材料がエラストマー材料である、請求項１乃至４のいずれか１に記載の靴用滑り防止具。
【請求項６】
取り付け部は、靴の甲部分に周回される帯体又は紐体を含んでなるものである、請求項１乃至５のいずれか１に記載の靴用滑り防止具。
【請求項７】
取り付け部は前記帯体又は紐体を複数有し、該複数の帯体又は紐体が靴の前後方向の複数位置において靴の甲部分に周回されるものである、請求項６に記載の靴用滑り防止具。
【請求項８】
前記帯体又は紐体が、一端が本体部の右縁に取り付けられると共に他端が本体部の左縁に取り付けられる両縁連結部材を含む、請求項６又は７に記載の靴用滑り防止具。
【請求項９】
両縁連結部材は、本体部の右縁に基端が取り付けられる右部材と、本体部の左縁に基端が取り付けられる左部材と、を含んでなり、
右部材と左部材とが互いに係止されることで、右部材と左部材とが一緒になって靴の甲部分に周回されるものである、請求項８に記載の靴用滑り防止具。
【請求項１０】
右部材及び／又は左部材に、右部材と左部材とを互いに係止する係止部が設けられるものである、請求項９に記載の靴用滑り防止具。
【請求項１１】
右部材は、右部材が前記右縁に取り付けられる幅よりも、右部材が前記靴の甲上面部分に面する部分の幅が小さく、
左部材は、左部材が前記左縁に取り付けられる幅よりも、左部材が前記靴の甲上面部分に面する部分の幅が小さい、請求項９又は１０に記載の靴用滑り防止具。
【請求項１２】
右部材は前記基端から遠ざかるにつれて幅が減少する部分を有する帯体であると共に、左部材は前記基端から遠ざかるにつれて幅が減少する部分を有する帯体である、請求項１１に記載の靴用滑り防止具。
【請求項１３】
前記帯体又は紐体が、靴の甲部分と靴底の土踏まず部分とを巡るように１周以上周回される土踏まず周回部材を含んでなる、請求項６乃至１２のいずれか１に記載の靴用滑り防止具。
【請求項１４】
土踏まず周回部材が、本体部の右縁に基端が取り付けられた右土踏まず周回部材と、本体部の左縁に基端が取り付けられた左土踏まず周回部材と、を含んでなるものである、請求項１３に記載の靴用滑り防止具。
【請求項１５】
土踏まず周回部材が、靴の甲部分と靴底の土踏まず部分とに周回された際、該周回部材の互いに隣接する部分のそれぞれに設けられた第１係合部及び第２係合部とが互いに係合することで、靴の甲部分と靴底の土踏まず部分とを巡るように縛着されるものである、請求項１３又は１４に記載の靴用滑り防止具。
【考案の詳細な説明】
【技術分野】
【０００１】
本考案は、靴用滑り防止具に関し、より詳細には、作業靴、長靴、運動靴、スニーカー、ブーツ等の靴に着脱自在に取り付けられ使用される靴用滑り防止具に関する。
【背景技術】
【０００２】
靴用滑り防止具は、これまで様々なものが提案されてきた（例えば、特許文献１参照）。
特許文献１には、「小型で持ち運びが容易で平地及び斜面地両方において歩行しやすく、且つ滑止め効果が高く、安価に製作できる靴の滑止め具の提供を目的」（特許文献１、考案の詳細な説明中の段落番号０００４）としてなされたもので、具体的には「靴底裏面の内外方向に位置する靴底ベース部と、靴底の内側側面の前後方向に位置する靴底側片部とを有し、前記靴底ベース部は下方に向いて突設したベース爪を有し、靴底側片部は下方及び斜め内側方向に向いて突設した側爪を有する」（特許文献１、考案の詳細な説明中の段落番号０００５）靴滑止め具であり、それによって「靴底の裏面の内外方向になる靴ベース部と靴底の内側側面の前後方向になる靴底側片部を有し、この靴ベース部と靴底側片部とから下方に向けて突設したベース爪と側爪を有するので平地から斜面地にかけて、あるいは逆に斜面地から平地にかけて歩きわたるのが容易である」（特許文献１、考案の詳細な説明中の段落番号０００７）という効果を奏するものが開示されている。
【先行技術文献】
【特許文献】
【０００３】
【特許文献１】実用新案登録第３１６０２３２号公報（例えば、要約、考案の詳細な説明中の段落番号０００１〜０００７、第１図、第２図等）
【考案の概要】
【考案が解決しようとする課題】
【０００４】
確かに、特許文献１に開示された靴滑止め具（本考案にいう靴用滑り防止具）は、靴ベース部と靴底側片部とから下方に向けて突設したベース爪及び側爪が、歩行面に刺さったり、歩行面に強く当たることで、歩行面との間の滑りを防止又は減少させることができる。
しかし、特許文献１の靴滑止め具によれば、ベース爪及び側爪が歩行面に刺さったり強く当たることにより、歩行面の損傷を生じることがある。歩行面が、通常の地面等のように歩行面の損傷は問題にならないこともあるが、歩行面の損傷を防止する必要があることもある。例えば、建築物の屋根や床等の工事において、工事作業者が屋根面や床面を歩行する際には、この屋根面や床面等の歩行面を損傷させることを避ける必要があり、かかる場合には、特許文献１に開示のような歩行面を損傷させる靴用滑り防止具を用いることはできない。
そこで、本考案では、歩行面の損傷を防止又は減少させることができる靴用滑り防止具を提供することを目的とする。
【課題を解決するための手段】
【０００５】
本考案の靴用滑り防止具（以下「本防止具」という。）は、靴に装着する靴用滑り防止具であって、両主表面のうちの一面が靴底に面すると共に少なくとも他面が柔軟な材料により形成されている板状部材を含んでなる本体部と、本体部を該靴に取り付ける取り付け部と、を備えてなる、靴用滑り防止具である。
本防止具は、靴に着脱自在に装着可能な靴用滑り防止具である。
本防止具は、本体部と取り付け部とを備えてなる。
本体部は、板状部材を含んでなり、該板状部材は両主表面を有する。該板状部材の両主表面のうちの一面は、本防止具が装着される靴の靴底に面すると共に、該両主表面のうちの他面（該一面とは反対の面。歩行面に当接する面）は少なくとも柔軟な材料によって形成される。なお、少なくとも該他面が柔軟な材料により形成されていれば足り、該他面のみならず、該板状部材の該他面とは別の部分や該板状部材全部が柔軟な材料により形成されてもよい。
取り付け部は、本防止具が装着される靴に本体部を取り付ける（取り付け部は、本体部に直接的又は間接的に取り付けられている。）。
このような本防止具によれば、本体部が含む該板状部材の該一面が、本防止具が取り付けられる靴の靴底に面するように、取り付け部が該靴に本体部を取り付けることで、該靴による歩行に際しては歩行面に該板状部材の該他面が当接する。かかる該他面は柔軟な材料により形成されるので、特許文献１開示の靴滑止め具におけるベース爪及び側爪のように歩行面を損傷させることがなく、そして柔軟な材料により形成される該他面は歩行面との間の滑りを防止又は減少させる。即ち、本防止具は、歩行面の損傷を防止又は減少させることができる、靴に脱着可能な靴用滑り防止具である。なお、該他面を形成する「柔軟な材料」は、歩行面と該他面との間の滑りを所望程度に防止又は減少させる（例えば、靴底と歩行面との間の摩擦係数よりも、歩行面と該他面との間の摩擦係数が大きくなるようなもの）と共に、歩行面の損傷を所望程度に防止又は減少させる（例えば、硬さが歩行面よりも小さいもの）ことができるものを用いればよく、一例としては、エラストマー材料、繊維材料、皮革（合成、天然）等を挙げることができる。
【０００６】
本防止具においては、前記板状部材が、前記柔軟な材料により一体に形成されるものであってもよい。
このように本体部が含む前記板状部材を前記柔軟な材料により一体に形成することで、靴底に面する前記板状部材の前記一面も前記柔軟な材料により形成されるので、本防止具を装着した際の装着感を向上させ、靴底と該一面との間の滑りを防止又は減少させることもできる。そして、前記板状部材を一体に形成することで、前記板状部材を容易に構成できる。
【０００７】
本防止具においては、前記他面に凸部又は凹部が形成されているもの（以下「凹凸本防止具」という。）であってもよい。
歩行面に当接する前記他面に凸部又は凹部を形成することで、該他面と歩行面との間の滑りをさらに防止又は減少させることができる。
【０００８】
凹凸本防止具においては、前記凸部又は凹部が左右方向に伸びる突条又は溝であってもよい。
歩行面に当接する前記他面に、左右方向に伸びる突条又は溝を形成することで（即ち、前記凸部又は凹部が、左右方向に伸びる突条又は溝である。）、歩行面に対して該他面が前後方向に滑ることを効果的に防止又は減少させることができる（歩行面に対する該他面の滑りは、該他面の前後方向への滑りが多く発生しやすい。）。ここにいう「左右」は、靴底の長手方向に対して垂直かつ靴底に平行な方向をいう。
【０００９】
本防止具においては、前記柔軟な材料がエラストマー材料であってもよい。
エラストマー材料は、弾性を持った高分子材料であり、熱硬化性エラストマー材料としては加硫ゴム（天然ゴム、合成ゴム）、ウレタンゴム、シリコーンゴム等を挙げることができ、熱可塑性エラストマー材料としてはポリスチレン系、オレフィン系、ポリ塩化ビニル系、ポリエステル系等を挙げることができる。
かかるエラストマー材料を用いることで、その弾性により歩行面の損傷を効果的に防止又は減少させることができ、さらにエラストマー材料のうちの加硫ゴムを用いることで、歩行面の損傷と滑りとを効果的に防止又は減少させることができる。
【００１０】
本防止具においては、取り付け部は、靴の甲部分に周回される帯体又は紐体を含んでなるもの（以下「帯紐本防止具」という。）であってもよい。
取り付け部は、本体部を靴に取り付けることができるものであればよいが、靴の甲部分に周回される帯体又は紐体を含んでなるものとすれば、靴の前後方向に伸びる甲部分に帯体又は紐体（本体部に直接的又は間接的に取り付けられている。）を周回させることで、一面が靴底に面する板状部材を含んでなる本体部を帯体又は紐体という簡単な構成により靴にうまく取り付けることができる。
【００１１】
帯紐本防止具においては、取り付け部は前記帯体又は紐体を複数有し、該複数の帯体又は紐体が靴の前後方向の複数位置において靴の甲部分に周回されるものであってもよい。
こうすることで、取り付け部が有する複数の帯体又は紐体が、靴の前後方向の複数位置において靴の甲部分に周回されるので、靴の甲部分に周回された帯体又は紐体が該甲部分から不意に外れること（例えば、靴の甲部分に周回された帯体又は紐体が、該甲部分から靴の先端方向にずれて、該先端から抜け落ちる。）を防止又は減少させることができる。
【００１２】
帯紐本防止具においては、前記帯体又は紐体が、一端が本体部の右縁に取り付けられると共に他端が本体部の左縁に取り付けられる両縁連結部材を含むもの（以下「両縁連結部材本防止具」という。）であってもよい。
こうすることで、両縁連結部材の一端が本体部の右縁に取り付けられると共に両縁連結部材の他端が本体部の左縁に取り付けられるので（「左」及び「右」は、直立した靴の着用者が認識する「左」及び「右」をいう。）、該右縁と該左縁とをつなぐように両縁連結部材が配設され、該一端と該他端との間の両縁連結部材が靴の甲部分に確実に周回され、本体部を靴にうまく取り付けることができる。
【００１３】
両縁連結部材本防止具においては、両縁連結部材は、本体部の右縁に基端が取り付けられる右部材と、本体部の左縁に基端が取り付けられる左部材と、を含んでなり、右部材と左部材とが互いに係止されることで、右部材と左部材とが一緒になって靴の甲部分に周回されるもの（以下「左右部材本防止具」という。）であってもよい。
このように両縁連結部材が右部材（その基端が本体部の右縁に取り付けられる。）と左部材（その基端が本体部の左縁に取り付けられる。）とを含んでなり、右部材と左部材とが一緒になって靴の甲部分に周回されるように右部材と左部材とが互いに係止される。このため、右部材と左部材とが互いに係止されていない状態では、本体部が含む前記板状部材の前記一面が靴底に面するように本防止具を靴に対して容易に配置できると共に、そのように本防止具を靴に対して配置した後、右部材と左部材とが一緒になって靴の甲部分に周回されるように右部材と左部材とを互いに係止することで、本防止具を靴に容易に装着できる。なお、右部材と左部材との係止は、様々な方法をとることができ、例えば、右部材と左部材とを結びつけたり（例えば、右部材と左部材とを縛る）、右部材と左部材とを互いに係止する係止部を設けること（例えば、互いに係合可能な面ファスナー要素の一方を右部材に取り付けると共に他方を左部材に取り付けること、右部材及び左部材の一方に凹部を設けると共に他方に該凹部に嵌合可能な凸部を設けること、右部材及び左部材の一方にフックを設けると共に他方に該フックに嵌合可能なフック受け入れ部を設けること等を例示できる。）を例示できる。
【００１４】
左右部材本防止具においては、右部材及び／又は左部材に、右部材と左部材とを互いに係止する係止部が設けられるものであってもよい。
こうすることで、右部材と左部材とを互いに係止する係止部が、右部材及び／又は左部材に設けられるので、係止部によって右部材と左部材とを円滑かつ確実に係止することができる。なお、係止部は、右部材の先端（本体部の右縁に取り付けられる基端とは反対側の端）側及び／又は左部材の先端（本体部の左縁に取り付けられる基端とは反対側の端）側に取り付けられるようにすれば、これらの部材のうち係止部が設けられる位置よりも先端側に存する部分（該部分は、遊び部分となる。）を短くでき、見た目を向上させたり、機械の回転部分等に該部分が巻き込まれることを防止又は減少させることができる。
右部材と左部材とを互いに係止する係止部は、様々なものとすることができるが、例えば、面ファスナー（互いに係合可能な面ファスナー要素の一方を右部材に取り付けると共に他方を左部材に取り付ける。）、互いに嵌合可能な凹凸（右部材及び左部材の一方に凹部を設けると共に他方に該凹部に嵌合可能な凸部を設ける。）、フック（右部材及び左部材の一方にフックを設けると共に他方に該フックに嵌合可能なフック受け入れ部を設ける。）を挙げることができる。
【００１５】
左右部材本防止具においては、右部材は、右部材が前記右縁に取り付けられる幅よりも、右部材が前記靴の甲上面部分に面する部分の幅が小さく、左部材は、左部材が前記左縁に取り付けられる幅よりも、左部材が前記靴の甲上面部分に面する部分の幅が小さいもの（以下「幅相違部材本防止具」という。）であってもよい。
このように、右部材が前記靴の甲上面部分に面する部分の幅よりも、右部材が前記右縁に取り付けられる幅が大きい方が、右部材により支持される前記右縁が、右部材が前記右縁に取り付けられる幅に沿って一層安定して支持される。同様に、左部材が前記靴の甲上面部分に面する部分の幅よりも、左部材が前記左縁に取り付けられる幅が大きい方が、左部材により支持される前記左縁が、左部材が前記左縁に取り付けられる幅に沿って一層安定して支持される。そして、右部材が前記靴の甲上面部分に面する部分の幅を、右部材が前記右縁に取り付けられる幅よりも小さくすることで、靴の動き（とりわけ、甲上面部分が内側になるように靴が折れ曲がる動き）を円滑ならしめる。同様に、左部材が前記靴の甲上面部分に面する部分の幅を、左部材が前記左縁に取り付けられる幅よりも小さくすることで、靴の動き（とりわけ、甲上面部分が内側になるように靴が折れ曲がる動き）を円滑ならしめる。なお、右部材が前記右縁に取り付けられる幅とは、右部材が前記右縁に取り付けられる最も前の位置から最も後ろの位置までの距離をいい、左部材が前記左縁に取り付けられる幅とは、左部材が前記左縁に取り付けられる最も前の位置から最も後ろの位置までの距離をいう。
【００１６】
幅相違部材本防止具においては、右部材は前記基端から遠ざかるにつれて幅が減少する部分を有する帯体であると共に、左部材は前記基端から遠ざかるにつれて幅が減少する部分を有する帯体であってもよい。
このように、本体部の右縁に取り付けられる前記基端から遠ざかるにつれて幅が減少する部分を有する帯体を右部材とし、右部材が前記右縁に取り付けられる幅よりも、右部材が前記靴の甲上面部分に面する部分の幅を小さくすることで、右部材を高い強度で構成することができる。また、本体部の左縁に取り付けられる前記基端から遠ざかるにつれて幅が減少する部分を有する帯体を左部材とし、左部材が前記左縁に取り付けられる幅よりも、左部材が前記靴の甲上面部分に面する部分の幅を小さくすることで、左部材を高い強度で構成することができる。
【００１７】
帯紐本防止具においては、前記帯体又は紐体が、靴の甲部分と靴底の土踏まず部分とを巡るように１周以上周回される土踏まず周回部材を含んでなるもの（以下「土踏まず周回部材本防止具」という。）であってもよい。
靴底の土踏まず部分は、靴底のその他の部分に比して上方に湾曲するように形成される（即ち、土踏まず部分はくびれた部分を形成する）ことが多いことから、靴の甲部分と靴底の土踏まず部分とを巡るように１周以上周回される土踏まず周回部材を前記帯体又は紐体が含むことで、土踏まず周回部材が、靴のくびれた部分を周回するので前後方向にずれることを防止又は減少させ、靴の前後方向に伸びる甲部分に帯体又は紐体が周回した状態を保持できる。
【００１８】
土踏まず周回部材本防止具においては、土踏まず周回部材が、本体部の右縁に基端が取り付けられた右土踏まず周回部材と、本体部の左縁に基端が取り付けられた左土踏まず周回部材と、を含んでなるものであってもよい。
このように、本体部の右縁に基端が取り付けられた右土踏まず周回部材と、本体部の左縁に基端が取り付けられた左土踏まず周回部材と、を土踏まず周回部材が含むことで、該右縁に取り付けられた右土踏まず周回部材が、靴の甲部分と靴底の土踏まず部分とを巡るように１周以上周回されると共に、該左縁に取り付けられた左土踏まず周回部材が、靴の甲部分と靴底の土踏まず部分とを巡るように１周以上周回されるので、該右縁及び該左縁それぞれが靴のくびれた部分に確実に取り付けられた状態を保持できる。
【００１９】
土踏まず周回部材本防止具においては、土踏まず周回部材が、靴の甲部分と靴底の土踏まず部分とに周回された際、該周回部材の互いに隣接する部分のそれぞれに設けられた第１係合部及び第２係合部とが互いに係合することで、靴の甲部分と靴底の土踏まず部分とを巡るように縛着されるものであってもよい。
こうすることで、靴の甲部分と靴底の土踏まず部分とに周回された土踏まず周回部材において互いに隣接する部分のそれぞれに設けられた第１係合部及び第２係合部とが互いに係合することで、土踏まず周回部材が、靴の甲部分と靴底の土踏まず部分とを巡るように縛着され保持されるので、土踏まず周回部材が、靴の甲部分と靴底の土踏まず部分とを巡るように１周以上周回された状態をうまく保持することができる。第１係合部及び第２係合部は互いに係合することで、土踏まず周回部材が靴の甲部分と靴底の土踏まず部分とを巡るように縛着されるものであればよいが、互いに係合可能な面ファスナー要素の一方を第１係合部とし他方を第２係合部とすること、第１係合部を凹部とし該凹部に嵌合可能な凸部を第２係合部とすること、第１係合部をフックとし該フックに嵌合可能なフック受け入れ部を第２係合部とすること等を例示できる。
【図面の簡単な説明】
【００２０】
【図１】本考案に係る一実施形態の靴用滑り防止具（本防止具）を示す平面図である。
【図２】本防止具を示す底面図である。
【図３】図１のＡ−Ａ断面図である。
【図４】本防止具を靴に装着する方法を示す図である。
【図５】本防止具が靴に取り付けられたところを、靴の側面から見たところを示す図である。
【考案を実施するための形態】
【００２１】
本考案の実施の形態を図面を参照して詳述するが、本考案はこれに限定されるものではない。
【００２２】
図１は、本考案に係る一実施形態の靴用滑り防止具（本防止具）１１を示す平面図（図示しない靴に面する側を示している。）であり、図２は、本防止具１１を示す底面図（図示しない歩行面に面する側を示している。）であり、そして図３は図１のＡ−Ａ断面図である。図１乃至図３を参照して、本防止具１１について説明する。
本防止具１１は、大まかには、平板状の本体部２１と、本体部２１の右側（図１において右）の縁部２２に基端が取り付けられた短冊状の右前ベルト３１と、本体部２１の右側の縁部２２に基端が取り付けられた短冊状の右中ベルト３３と、本体部２１の右側の縁部２２に基端が取り付けられた紐状の右後紐３５と、本体部２１の左側（図１において左）の縁部２４に基端が取り付けられた短冊状の左前ベルト４１と、本体部２１の左側の縁部２４に基端が取り付けられた短冊状の左中ベルト４３と、本体部２１の左側の縁部２４に基端が取り付けられた紐状の左後紐４５と、を備えてなる。
【００２３】
本体部２１は、生ゴムを原料とした天然ゴム製の平板部材を形成しており、両主表面２１ａ、２１ｂのうち主表面２１ａ（上面）は、本防止具１１が装着される靴（不図示）の靴底に面する。主表面２１ａ、２１ｂは、本防止具１１が装着される靴（不図示）の靴底の形状に合わせた形状及び大きさとされている。そして、本体部２１の厚み（図３中の寸法ｔ）は、ここでは約２〜３ｍｍとされている。
本体部２１は、主表面２１ｂ（下面）に複数（ここでは６）の突条２３が形成されている。複数（６）の突条２３は、いずれも真っ直ぐな直線（左右方向に伸びる）に沿って互いに平行かつ略等間隔にて形成されており、いずれの突条２３の高さ（主表面２１ｂからの高さ。図３中の高さｈ）もここでは約５ｍｍとされている。また、突条２３が形成される方向は、本防止具１１が装着される靴（不図示）を履いた者（不図示）から見て、左右方向とされている。そして、本体部２１の前後方向の断面（図３）において、いずれの突条２３も三角形の山形形状（該三角形の角が、突出する方向に向いている。）に形成されており、これにより屋根面２０１に対する滑り滑り止め効果が増加する。
【００２４】
右前ベルト３１は、布やゴム等の柔軟な材料によって短冊状に形成され、両主表面３１ａ、３１ｂは、縁部２２に取り付けられた基端から先端に向かって先細りの形状を有している。主表面３１ｂの先端近傍には、互いに係合する面ファスナーの一方である右前面ファスナー要素３２ａが取り付けられている（右前面ファスナー要素３２ａは、後述の左前面ファスナー要素４２ａと互いに係合する。）。
右中ベルト３３は、布やゴム等の柔軟な材料によって短冊状に形成され、両主表面３３ａ、３３ｂは、縁部２２に取り付けられた基端から先端に向かって先細りの形状を有している。主表面３３ｂの先端近傍には、互いに係合する面ファスナーの一方である右中面ファスナー要素３４ａが取り付けられている（右中面ファスナー要素３４ａは、後述の左中面ファスナー要素４４ａと互いに係合する。）。
右後紐３５は、布やゴム等の柔軟な材料によって紐状に形成され、両主表面３５ａ、３５ｂは、縁部２２に取り付けられた基端から先端に向かって略同じ幅の紐形状を有している。主表面３５ａの先端近傍には、互いに係合する面ファスナーの一方である右後面ファスナー一方要素３６ａが取り付けられていると共に、主表面３５ｂのほぼ全体には、該面ファスナーの他方である右後面ファスナー他方要素３６ｂが取り付けられている（右後面ファスナー一方要素３６ａと右後面ファスナー他方要素３６ｂとは互いに係合可能である。）。
【００２５】
左前ベルト４１は、布やゴム等の柔軟な材料によって短冊状に形成され、両主表面４１ａ、４１ｂは、縁部２４に取り付けられた基端から先端に向かって先細りの形状を有している。主表面４１ａの先端近傍には、右前面ファスナー要素３２ａと係合可能な左前面ファスナー要素４２ａが取り付けられている。
左中ベルト４３は、布やゴム等の柔軟な材料によって短冊状に形成され、両主表面４３ａ、４３ｂは、縁部２４に取り付けられた基端から先端に向かって先細りの形状を有している。主表面４３ａの先端近傍には、右中面ファスナー要素３４ａと係合可能な左中面ファスナー要素４４ａが取り付けられている。
左後紐４５は、布やゴム等の柔軟な材料によって紐状に形成され、両主表面４５ａ、４５ｂは、縁部２４に取り付けられた基端から先端に向かって略同じ幅の紐形状を有している。主表面４５ａの先端近傍には、互いに係合する面ファスナーの一方である左後面ファスナー一方要素４６ａが取り付けられていると共に、主表面４５ｂのほぼ全体には、該面ファスナーの他方である左後面ファスナー他方要素４６ｂが取り付けられている（左後面ファスナー一方要素４６ａと左後面ファスナー他方要素４６ｂとは互いに係合可能である。）。
【００２６】
次いで、本防止具１１の使用方法について説明する。
図４は、本防止具１１を靴１０１（靴１０１の詳細は図示を省略する。）に装着する方法を示す図（靴１０１の上方から見たところを示している。）である。ここでは図１に示した状態の本防止具１１を、図示しない左足（後述の図５においては左足１０５）に履いた靴１０１に装着する方法を説明する。
【００２７】
第１に、図１に示した状態の本防止具１１の本体部２１の主表面２１ａ上に、靴１０１の靴底を配置する（該靴底は主表面２１ａに当接する。）。
第２に、右前ベルト３１の主表面３１ｂが上面になるように折り返すと共に、右中ベルト３３の主表面３３ｂが上面になるように折り返して、図４のような状態とする。
【００２８】
第３に、右前ベルト３１の主表面３１ｂに取り付けられた右前面ファスナー要素３２ａに、左前ベルト４１の主表面４１ａに取り付けられた左前面ファスナー要素４２ａを係合させる。加えて、右中ベルト３３の主表面３３ｂに取り付けられた右中面ファスナー要素３４ａに、左中ベルト４３の主表面４３ａに取り付けられた左中面ファスナー要素４４ａを係合させる。なお、右前面ファスナー要素３２ａと左前面ファスナー要素４２ａとを係合させ、右中面ファスナー要素３４ａと左中面ファスナー要素４４ａとを係合させる際には、本防止具１１が靴１０１にしっかり取り付けられるように、ベルト３１、４１、３３、４３と靴１０１との間に隙間が生じないようにする（右前面ファスナー要素３２ａと左前面ファスナー要素４２ａとの係合と、右中面ファスナー要素３４ａと左中面ファスナー要素４４ａとの係合と、の各係合においては、係合位置を調節可能であるので、靴１０１のサイズが変わってもうまく調整できる（いわゆるフリーサイズ）。）。
【００２９】
第４に、右後紐３５を靴１０１の土踏まず部分１０１ｃに周回させ、右後面ファスナー一方要素３６ａと右後面ファスナー他方要素３６ｂとを互いに係合させることで、右後紐３５により本防止具１１を靴１０１に取り付ける。同様に、左後紐４５を靴１０１の土踏まず部分１０１ｃに周回させ、左後面ファスナー一方要素４６ａと左後面ファスナー他方要素４６ｂとを互いに係合させることで、左後紐４５により本防止具１１を靴１０１に取り付ける。
図５は、このようにして本防止具１１が靴１０１に取り付けられたところを、靴１０１の側面（図４の矢印Ｇ方向）から見たところを示す図である。右前ベルト３１と左前ベルト４１により靴１０１の前部に、右中ベルト３３と左中ベルト４３により靴１０１の中心部に、そして右後紐３５及び左後紐４５により靴１０１の土踏まず部分１０１ｃに、本防止具１１がしっかりと取り付けられている。
【００３０】
ここでは左足１０５に履いた靴１０１に本防止具１１を取り付ける方法を説明したが、同様に、右足に履いた靴にも本防止具１１を取り付ける。
このように靴１０１に本防止具１１を取り付けることで、歩行面たる屋根面２０１を歩行する際、主表面２１ｂに形成された複数（ここでは６）の突条２３が屋根面２０１に当接することで屋根面２０１に対する靴１０１の滑りを効果的に防止又は減少させると共に、屋根面２０１に当接しうる主表面２１ｂ（突条２３を含む）は全て柔らかいゴム材料によって形成されているので屋根面２０１を損傷させることもない。
【００３１】
そして、屋根面２０１は、夏期においては高温となるので、靴１０１を履いただけでは足が熱くなって作業性を低下させたり、場合によっては火傷を負うこともあるが、本防止具１１を靴１０１に装着すれば、屋根面２０１から靴１０１への伝熱を低下させ、足が高温になることを防止又は減少させることができる。また、冬期においては屋根面２０１が低温となるが、このときも本防止具１１を靴１０１に装着すれば、靴１０１から屋根面２０１への伝熱を低下させ、足が低温になることを防止又は減少させることができる。
ベルト３１、４１、３３、４３及び紐３５、４５は、ここでは本体部２１に直接取り付けられているが、縁部２２、２４に沿って補強布や補強帯等を取り付け、該取り付けた補強布や補強帯等にベルト３１、４１、３３、４３及び紐３５、４５を取り付けるようにしてもよい。
加えて、ベルト３１、４１、３３、４３及び紐３５、４５は、ここでは本体部２１と別の材料で形成されているが、本体部２１と同じ材料で形成するようにしてもよく、さらに本体部２１と一体に形成してもよい。
このような本防止具１１は、靴１０１に容易に脱着できるので、靴１０１を脱着することなく（靴１０１を履いたままで）、必要なときに本防止具１１を装着し、その後は取り外すことができ、極めて便利である。
【００３２】
以上説明の通り、本防止具１１は、靴１０１に装着する靴用滑り防止具であって、両主表面２１ａ、２１ｂのうちの一面（主表面２１ａ）が靴底（靴１０１の下面）に面すると共に少なくとも他面（主表面２１ｂ）が柔軟な材料（ここではゴム材料）により形成されている板状部材（ここでは本体部２１自身が形成する。）を含んでなる本体部２１と、本体部２１を該靴１０１に取り付ける取り付け部（ここでは右前ベルト３１と左前ベルト４１とにより形成される帯体、右中ベルト３３と左中ベルト４３とにより形成される帯体、右後紐３５、左後紐４５を含んでなる。）と、を備えてなる、靴用滑り防止具である。
本防止具１１においては、前記板状部材（ここでは本体部２１が形成する板状部材）が、前記柔軟な材料（ここではゴム材料）により一体に形成されるものである。
本防止具１１においては、前記他面（主表面２１ｂ）に凸部又は凹部（ここでは複数（ここでは６）の突条２３）が形成されている。
本防止具１１においては、前記凸部又は凹部（複数（ここでは６）の突条２３）が左右方向に伸びる突条又は溝である。
本防止具１１においては、前記柔軟な材料がエラストマー材料（ここではエラストマー材料に含まれるゴム材料）である。
【００３３】
本防止具１１においては、取り付け部（右前ベルト３１と左前ベルト４１とにより形成される帯体、右中ベルト３３と左中ベルト４３とにより形成される帯体、右後紐３５、左後紐４５を含んでなる。）は、靴１０１の甲部分１０２に周回される帯体（右前ベルト３１と左前ベルト４１とにより形成される帯体、右中ベルト３３と左中ベルト４３とにより形成される帯体）又は紐体（右後紐３５、左後紐４５）を含んでなるものである（ここでは帯体と紐体との両方を含む。）。
本防止具１１においては、取り付け部（右前ベルト３１と左前ベルト４１とにより形成される帯体、右中ベルト３３と左中ベルト４３とにより形成される帯体、右後紐３５、左後紐４５を含んでなる。）は前記帯体又は紐体を複数有し（右前ベルト３１と左前ベルト４１とにより形成される帯体、右中ベルト３３と左中ベルト４３とにより形成される帯体、紐体たる右後紐３５、紐体たる左後紐４５）、該複数の帯体又は紐体が靴１０１の前後方向の複数位置において靴１０１の甲部分１０２に周回される（ここでは右前ベルト３１と左前ベルト４１とにより形成される帯体は靴１０１の前部分に周回され、右中ベルト３３と左中ベルト４３とにより形成される帯体は靴１０１の中部分に周回され、そして右後紐３５及び左後紐４５は靴１０１の後部分に周回される。）。
【００３４】
本防止具１１においては、前記帯体（右前ベルト３１と左前ベルト４１とにより形成される帯体、右中ベルト３３と左中ベルト４３とにより形成される帯体）又は紐体（右後紐３５、左後紐４５）が、一端が本体部２１の右縁（縁部２２）に取り付けられると共に他端が本体部２１の左縁（縁部２４）に取り付けられる両縁連結部材（ここでは右前ベルト３１と左前ベルト４１とにより形成される帯体、右中ベルト３３と左中ベルト４３とにより形成される帯体）を含む。
本防止具１１においては、両縁連結部材（右前ベルト３１と左前ベルト４１とにより形成される帯体、右中ベルト３３と左中ベルト４３とにより形成される帯体）は、本体部２１の右縁（縁部２２）に基端が取り付けられる右部材（右前ベルト３１、右中ベルト３３）と、本体部２１の左縁（縁部２４）に基端が取り付けられる左部材（左前ベルト４１、左中ベルト４３）と、を含んでなり、右部材（右前ベルト３１、右中ベルト３３）と左部材（左前ベルト４１、左中ベルト４３）とが互いに係止されることで、右部材（右前ベルト３１、右中ベルト３３）と左部材（左前ベルト４１、左中ベルト４３）とが一緒（右前ベルト３１と左前ベルト４１とが一緒になって形成する帯体、右中ベルト３３と左中ベルト４３とが一緒になって形成する帯体）になって靴１０１の甲部分１０２に周回されるものである。
【００３５】
本防止具１１においては、右部材（右前ベルト３１、右中ベルト３３）及び／又は左部材（左前ベルト４１、左中ベルト４３）に、右部材（右前ベルト３１、右中ベルト３３）と左部材（左前ベルト４１、左中ベルト４３）とを互いに係止する係止部（右前面ファスナー要素３２ａと左前面ファスナー要素４２ａとが係止部を形成し、右中面ファスナー要素３４ａと左中面ファスナー要素４４ａとが係止部を形成する。）が設けられるものである。
本防止具１１においては、右部材（右前ベルト３１、右中ベルト３３）は、右部材（右前ベルト３１、右中ベルト３３）が前記右縁（縁部２２）に取り付けられる幅よりも、右部材（右前ベルト３１、右中ベルト３３）が前記靴１０１の甲上面部分（甲部分１０２のうち上面を構成する部分）に面する部分の幅が小さく、左部材（左前ベルト４１、左中ベルト４３）は、左部材（左前ベルト４１、左中ベルト４３）が前記左縁（縁部２４）に取り付けられる幅よりも、左部材（左前ベルト４１、左中ベルト４３）が前記靴１０１の甲上面部分（甲部分１０２のうち上面を構成する部分）に面する部分の幅が小さい。
本防止具１１においては、右部材（右前ベルト３１、右中ベルト３３）は前記基端（前記右縁（縁部２２）に取り付けられる端）から遠ざかるにつれて幅が減少する部分を有する帯体（ここでは先端まで先細り）であると共に、左部材（左前ベルト４１、左中ベルト４３）は前記基端（前記左縁（縁部２４）に取り付けられる端）から遠ざかるにつれて幅が減少する部分を有する帯体（ここでは先端まで先細り）である。
【００３６】
本防止具１１においては、前記帯体（右前ベルト３１と左前ベルト４１とにより形成される帯体、右中ベルト３３と左中ベルト４３とにより形成される帯体）又は紐体（右後紐３５、左後紐４５）が、靴１０１の甲部分１０２と靴底の土踏まず部分１０１ｃとを巡るように１周以上周回される土踏まず周回部材（右後紐３５、左後紐４５）を含んでなる。
本防止具１１においては、土踏まず周回部材（右後紐３５、左後紐４５）が、本体部２１の右縁（縁部２２）に基端が取り付けられた右土踏まず周回部材（右後紐３５）と、本体部２１の左縁（縁部２４）に基端が取り付けられた左土踏まず周回部材（左後紐４５）と、を含んでなるものである。
本防止具１１においては、土踏まず周回部材（右後紐３５、左後紐４５）が、靴１０１の甲部分１０２と靴底の土踏まず部分１０１ｃとに周回された際、該周回部材（右後紐３５、左後紐４５）の互いに隣接する部分のそれぞれに設けられた第１係合部（右後面ファスナー一方要素３６ａ、左後面ファスナー一方要素４６ａ）及び第２係合部（右後面ファスナー他方要素３６ｂ、左後面ファスナー他方要素４６ｂ）とが互いに係合することで、靴１０１の甲部分１０２と靴底の土踏まず部分１０１ｃとを巡るように縛着される（図５）ものである。
【符号の説明】
【００３７】
１１            本防止具
２１            本体部
２１ａ、２１ｂ  主表面
２２            縁部
２３            突条
２４            縁部
３１            右前ベルト
３１ａ、３１ｂ  主表面
３２ａ          右前面ファスナー要素
３３            右中ベルト
３３ａ、３３ｂ  主表面
３４ａ          右中面ファスナー要素
３５            右後紐
３５ａ、３５ｂ  主表面
３６ａ          右後面ファスナー一方要素
３６ｂ          右後面ファスナー他方要素
４１            左前ベルト
４１ａ、４１ｂ  主表面
４２ａ          左前面ファスナー要素
４３            左中ベルト
４３ａ、４３ｂ  主表面
４４ａ          左中面ファスナー要素
４５            左後紐
４５ａ、４５ｂ  主表面
４６ａ          左後面ファスナー一方要素
４６ｂ          左後面ファスナー他方要素
１０１            靴
１０１ｃ          土踏まず部分
１０２            甲部分
１０５            左足
２０１            屋根面
【図１】
0003225702.tif 000003
【図２】
0003225702.tif 000004
【図３】
0003225702.tif 000005
【図４】
0003225702.tif 000006
【図５】
0003225702.tif 000007